(57)【要約】      （修正有）【課題】顕著な鳥払い効果が得られる補助風受け部を備えた鳥追い払い装置を提供する。【解決手段】Ｕ型台座上に支柱２を立てて取り付け、且つＵ型台座の中央部に取付穴を設けており、支柱の頂部に回転軸４を回転可能に取り付け、且つ回転軸の側壁に複数の回転アーム５を固着し、回転アームの先端に均しく碗形の風受け部６を設けると共に、回転アームの中間に碗形の補助風受け部１１を設け、碗形の補助風受け部のチャンバー内に補助鏡１２を回転可能に取り付け、回転軸の頂部周縁部に均一に取り付けられる支持脚７を通じて回転軸に反射装置８を固着し、回転軸の上表面中心部に取付台９を設け、取付台上に音又は光による追い払い装置１０を取り付ける。【選択図】図１
0003207112.tif 000002
【実用新案登録請求の範囲】
【請求項１】
Ｕ型台座を含む高圧送電鉄塔の鳥追い払い装置であって、前記Ｕ型台座上に支柱を立てて取り付け、且つ前記Ｕ型台座の中央部に取付穴を設けており、前記支柱の頂部に回転軸を回転可能に取り付け、且つ前記回転軸の側壁に複数の回転アームを固着し、前記回転アームの先端に均しく碗形の風受け部を設けると共に、前記回転アームの中間に碗形の補助風受け部を設け、且つ前記碗形の補助風受け部のチャンバー内に補助鏡を回転可能に取り付け、前記回転軸の頂部周縁部に均一に取り付けられる支持脚を通じ前記回転軸に反射装置を固着し、前記回転軸の上表面中心部に取付台を設け、且つ前記取付台上に音又は光による追い払い装置を取り付けることを特徴とする補助風受け部を備えた鳥追い払い装置。
【請求項２】
前記碗形の風受け部は、筐体を含み、且つ前記筐体のチャンバー中央部に十字サポートフレームを取り付け、前記十字サポートフレームの中心部にピン軸を回転可能に取り付け、且つピン軸の側壁に鏡面羽根を均一に固着することを特徴とする請求項１に記載の補助風受け部を備えた鳥追い払い装置。
【請求項３】
前記碗形の風受け部は、筐体を含み、且つ前記筐体のチャンバー中央部に軸棒を水平に挿設し、前記軸棒の側壁に留め具を通じて各々第１円形鏡と第２円形鏡を取り付け、且つ前記第１円形鏡の直径と前記第２円形鏡の直径が同じであることを特徴とする請求項１に記載の補助風受け部を備えた鳥追い払い装置。
【考案の詳細な説明】
【技術分野】
【０００１】
本考案は、強電系における鳥追い払い装置の技術分野に関し、特に、補助風受け部を備えた鳥追い払い装置に関する。
【背景技術】
【０００２】
広義的には、農場、果樹園、風力発電所及び軍用・民間用空港等に有害鳥類がエリア内に侵入して農産物等又は設備の安全性に悪影響を与えるのを防止する手段が、鳥追い払いと言われている。狹義的には、鳥追い払いとは軍用・民間用空港が航空機の離着陸の安全を保護し、航空機が高速で離着陸する時に鳥が航空機のエンジンに吸い込まれること、又は航空機の機体、降着装置、尾翼、フロントガラス等の全ての航空機の機体に衝突することを防止するため、空港の重要な飛行場、特に、航空機の離陸と着陸の滑走路或いは誘導路上で講じられている鳥類侵入を防止する聴覚的威嚇、視覚的刺激、直接捕殺、化学的、生態或いはレーダー警戒などの全ての手段をいう。
【０００３】
ただし、高圧送電鉄塔上に用いられている従来の鳥追い払い器の構造は簡単で、鳥追い払い効果も顕著ではなく、同時に一般的な鳥追い払い器は夜間において鳥追い払いを行うことができず、このような鳥追い払い装置が夜間において鳥追い払い効果がなく、簡単な鳥追い払い装置の多くも光反射により鳥類を追い払い、このような方法は単調すぎて、一部の鳥類のみを威嚇及び追い払うことができる。
【考案の概要】
【考案が解決しようとする課題】
【０００４】
そこで、本考案は、上記背景技術内で提出された課題を解決するため、高圧送電鉄塔の鳥追い払い装置を提供することを目的とする。
【課題を解決するための手段】
【０００５】
上記目的を実現するため、本考案は、Ｕ型台座を含む高圧送電鉄塔の鳥追い払い装置という技術方案を提供する。前記Ｕ型台座上に支柱を立てて取り付け、且つＵ型台座の中央部に取付穴を設けており、前記支柱の頂部に回転軸を回転可能に取り付け、且つ回転軸の側壁に複数の回転アームを固着し、前記回転アームの先端に均しく碗形の風受け部を設け、回転軸の頂部周縁部に均一に取り付けられる支持脚を通じ前記回転軸に反射装置を固着し、前記回転軸の上表面中心部に取付台を設け、且つ取付台上に音又は光による追い払い装置を取り付ける。
【０００６】
前記回転アームの中間に碗形の補助風受け部を設け、且つ碗形の補助風受け部のチャンバー内に補助鏡を回転可能に取り付ける。
【０００７】
前記反射装置は、上蓋を含み、前記上蓋の内部に反射鏡を均一に設け、且つ反射鏡の反射角度が補助鏡の照射角度と対応し、前記上蓋の外側壁に太陽電池を取り付ける。
【０００８】
前記取付台のチャンバー内にインバータと蓄電池を設け、且つインバータは各々太陽電池及び蓄電池と電気的に接続し、前記音又は光による追い払い装置が各々蓄電池と電気的に接続し、コントローラーを含み、且つコントローラーが各々昼夜識別モジュール及び電路切断モジュールと電気的に接続し、前記電路切断モジュールが電気伝導体を通じて音又は光の発射モジュールと接続し、且つ音又は光の発射モジュールがレーザー発射モジュールと音波発射モジュールとを含む。
【０００９】
前記碗形の風受け部は、筐体を含み、且つ筐体のチャンバー中央部に十字サポートフレームを取り付け、前記十字サポートフレームの中心部にピン軸を回転可能に取り付け、且つピン軸の側壁に鏡面羽根を均一に固着する。
【００１０】
前記碗形の風受け部は、筐体を含み、且つ筐体のチャンバー中央部に軸棒を水平に挿設し、前記軸棒の側壁に留め具を通じて各々第１円形鏡と第２円形鏡を取り付け、且つ第１円形鏡の直径と第２円形鏡の直径が同じである。
【００１１】
前記回転アームの個数は、少なくとも３個とし、且つ回転アームが支柱を回転中心として中心対称に分布する。
【考案の効果】
【００１２】
従来技術と比べると、本考案は、音又は光の発射器を用いて鳥類を追い払うことで、音波と光波を通じて同時に鳥を追い払うことができるため、鳥追い払い効果がより一層顕著となり；反射装置と碗形の補助風受け部の組み合わせ使用を通じて、回転軸の回転過程中に音波と光波の照射経路を変更することによって鳥追い払いの範囲を拡大でき；碗形の風受け部内に回転可能な鏡面羽根を取り付けることで、鏡面羽根の回転過程中に鳥追い払いエリアでの光照射頻度を増大させ、鳥追い払い効果を増強することができ；碗形の風受け部内に２枚の円形鏡を取り付け、且つ前記円形鏡が碗形の風受け部内で自在に回転でき、碗形の風受け部が風のある状況でも自在に回転させて光を屈折できる。
【図面の簡単な説明】
【００１３】
【図１】本考案の構造を示す模式図である。
【図２】本考案の実施例１に係る碗形の風受け部の構造を示す模式図である。
【図３】本考案の実施例２に係る碗形の風受け部の構造を示す模式図である。
【図４】本考案の音又は光による追い払い装置のシステムブロック図である。
【考案を実施するための形態】
【００１４】
以下、具体的実施例を組み合わせて本考案について更なる詳細な説明を行うが。本考案の保護範囲はこれに限られるものではない。
【００１５】
（実施例１）
図１、図２及び図４を参照すると、本願で提供する実施例１、つまりＵ型台座１を含む高圧送電鉄塔の鳥追い払い装置であって、Ｕ型台座１上に支柱２を立てて取り付け、且つＵ型台座１の中央部に取付穴３を設けており、支柱２の頂部に回転軸４を回転可能に取り付け、且つ回転軸４の側壁に複数の回転アーム５を固着し、回転アーム５の中間に碗形の補助風受け部１１を設け、且つ碗形の補助風受け部１１のチャンバー内に補助鏡１２を回転可能に取り付け、回転アーム５の先端に均しく碗形の風受け部６を設け、回転アーム５の個数は少なくとも３個とし、且つ回転アーム５が支柱２を回転中心として中心対称に分布し、回転軸４の頂部周縁部に均一に取り付けられる支持脚７を通じ回転軸４に反射装置８を固着し、反射装置８は上蓋８１を含み、上蓋８１の内部に反射鏡８２を均一に設け、且つ反射鏡８２の反射角度が補助鏡１２の照射角度と対応し、上蓋８１の外側壁に太陽電池８３を取り付け、回転軸４の上表面中心部に取付台９を設け、且つ取付台９上に音又は光による追い払い装置１０を取り付け、取付台９のチャンバー内にインバータ９１と蓄電池９２を設け、且つインバータ９１は各々太陽電池８３及び蓄電池９２と電気的に接続し、音又は光による追い払い装置１０が各々蓄電池９２と電気的に接続し、コントローラーを含み、且つコントローラーが各々昼夜識別モジュール及び電路切断モジュールと電気的に接続し、電路切断モジュールが電気伝導体を通じて音又は光の発射モジュールと接続し、且つ音又は光の発射モジュールがレーザー発射モジュールと音波発射モジュールとを含み、音又は光による追い払い装置１０を用いて鳥類を追い払うことで、音波と光波を通じて同時に鳥を追い払うことができるため、鳥追い払い効果がより一層顕著となる。
【００１６】
碗形の風受け部６は、筐体６１を含み、且つ筐体のチャンバー中央部に十字サポートフレーム６２を取り付け、十字サポートフレーム６２の中心部にピン軸６３を回転可能に取り付けられ、且つピン軸６３の側壁に鏡面羽根６４を均一に固着する
【００１７】
動作原理：昼間の時、自然風を利用して回転アーム５を回転させ、同時に碗形の風受け部６内の鏡面羽根６４も回転させて太陽光を空中に反射させ、昼夜識別モジュールで昼間を識別し、空が暗くなった時、コントローラーで電路切断モジュールを制御することで、音又は光の発射モジュールを制御し、発射された音波と光波について反射鏡８２を通じて補助鏡１２に反射させて、更に補助鏡１２の回転を通じて、光波と音波を異なるエリア内に反射せることで、鳥追い払い効果を増強する。
【００１８】
（実施例２）
図１、図３及び図４を参照すると、本願で提供する実施例２、つまりＵ型台座１を含む高圧送電鉄塔の鳥追い払い装置であって、Ｕ型台座１上に支柱２を立てて取り付け、且つＵ型台座１の中央部に取付穴３を設けており、支柱２の頂部に回転軸４を回転可能に取り付け、且つ回転軸４の側壁に複数の回転アーム５を固着し、回転アーム５の中間に碗形の補助風受け部１１を設け、且つ碗形の補助風受け部１１のチャンバー内に補助鏡１２を回転可能に取り付け、回転アーム５の先端に均しく碗形の風受け部６を設け、回転アーム５の個数は少なくとも３個とし、且つ回転アーム５が支柱２を回転中心として中心対称に分布し、回転軸４の頂部周縁部に均一に取り付けられる支持脚７を通じ回転軸４に反射装置８を固着し、反射装置８は上蓋８１を含み、上蓋８１の内部に反射鏡８２を均一に設け、且つ反射鏡８２の反射角度が補助鏡１２の照射角度と対応し、上蓋８１の外側壁に太陽電池８３を取り付け、回転軸４の上表面中心部に取付台９を設け、且つ取付台９上に音又は光による追い払い装置１０を取り付け、取付台９のチャンバー内にインバータ９１と蓄電池９２を設け、且つインバータ９１は各々太陽電池８３及び蓄電池９２と電気的に接続し、音又は光による追い払い装置１０が各々蓄電池９２と電気的に接続し、コントローラーを含み、且つコントローラーが各々昼夜識別モジュール及び電路切断モジュールと電気的に接続し、電路切断モジュールが電気伝導体を通じて音又は光の発射モジュールと接続し、且つ音又は光の発射モジュールがレーザー発射モジュールと音波発射モジュールとを含み、音又は光による追い払い装置１０を用いて鳥類を追い払うことで、音波と光波を通じて同時に鳥を追い払うことができるため、鳥追い払い効果がより一層顕著となる。
【００１９】
碗形の風受け部６は、筐体６１を含み、且つ筐体６１のチャンバー中央部に軸棒６５を水平に挿設し、軸棒６５の側壁に留め具６６を通じて各々第１円形鏡６７と第２円形鏡６８を取り付け、且つ第１円形鏡６７の直径と第２円形鏡６８の直径が同じである。
【００２０】
動作原理：昼間の時、自然風を利用して回転アーム５を回転させ、碗形の風受け部６内の第１円形鏡６７と第２円形鏡６８を同時に軸棒６５で回転させることで太陽光を異なる角度で空中に反射させ、同時に昼夜識別モジュールで昼間を識別し、空が暗くなった時、コントローラーで電路切断モジュールを制御することで、音又は光の発射モジュールを制御し、発射された音波と光波について反射鏡８２を通じて補助鏡１２に反射させて、更に補助鏡１２の回転を通じて、光波と音波を異なるエリア内に反射せることで、鳥追い払い効果を増強する。
【００２１】
以上に述べたのは、あくまでも本考案の具体的実施形態であって、本考案の保護範囲がこれら実施例により何ら限定されるものではなく、当業者は本考案の開示した技術範囲内において本考案の技術方案及び考案構想に基づいて行われる様々な修正、変更及び改変は、いずれも本考案の保護範囲内に含めるものであるのが勿論である。
【符号の説明】
【００２２】
１  Ｕ型台座
２  支柱
３  取付穴
４  回転軸
５  回転アーム
６  碗形の風受け部
６１  筐体
６２  十字サポートフレーム
６３  ピン軸
６４  鏡面羽根
６５  軸棒
６６  留め具
６７  第１円形鏡
６８  第２円形鏡
７  支持脚
８  反射装置
８１  上蓋
８２  反射鏡
８３  太陽電池、
９  取付台
９１  インバータ
９２  蓄電池
１０  音又は光による追い払い装置
１１  碗形の補助風受け部
１２  補助鏡
【図１】
0003207112.tif 000003
【図２】
0003207112.tif 000004
【図３】
0003207112.tif 000005
【図４】
0003207112.tif 000006